【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
サーバと、映像データ及び／又は音声データを含むコンテンツを再生する複数のクライアントとを備えたコンテンツ再生システムであって、
前記サーバは、
前記クライアントにより再生されたコンテンツの再生開始位置を含む履歴情報を前記クライアントから取得する履歴情報取得手段と、
前記取得された履歴情報を蓄積する蓄積手段と、
前記蓄積された履歴情報に基づいて、コンテンツごとに再生開始位置の代表値を決定する決定手段とを備え、
前記クライアントは、
ユーザの操作に応じて所望のコンテンツを指定する指定手段と、
前記指定されたコンテンツの再生開始位置の代表値を前記サーバから取得する代表値取得手段と、
前記再生開始位置の代表値を表示する表示手段と、
前記ユーザの操作に応じて、前記コンテンツの再生開始位置を調整する調整手段と、
前記調整された再生開始位置から前記コンテンツを再生する再生手段と、
前記コンテンツを再生したとき、前記履歴情報を前記サーバに送信する履歴情報送信手段とを備えることを特徴とするコンテンツ再生システム。
【請求項２】
請求項１に記載のコンテンツ再生システムであって、
前記履歴情報送信手段は、前記コンテンツの再生が所定期間継続されたとき、前記履歴情報を送信することを特徴とするコンテンツ再生システム。
【請求項３】
管理サーバと、複数の中継サーバと、前記各中継サーバに接続される複数のクライアントとを備えたコンテンツ再生システムであって、
前記中継サーバは、
自身と接続された前記クライアントにより再生されたコンテンツの再生開始位置を含む履歴情報を前記クライアントから取得する履歴情報取得手段と、
前記取得された履歴情報を蓄積する中継蓄積手段と、
前記蓄積された履歴情報に基づいて、再生開始位置の代表値であるローカル代表値をコンテンツごとに決定するローカル代表値決定手段と、
前記ローカル代表値を送信するローカル代表値送信手段とを備え、
前記管理サーバは、
前記複数の中継サーバから送信される前記ローカル代表値を取得するローカル代表値取得手段と、
前記取得されたローカル代表値を蓄積する管理蓄積手段と、
前記蓄積されたローカル代表値に基づいて、再生開始位置の代表値であるグローバル代表値をコンテンツごとに決定するグローバル代表値決定手段とを備え、
前記クライアントは、
ユーザの操作に応じて所望のコンテンツを指定する指定手段と、
前記指定されたコンテンツのグローバル代表値を前記管理サーバから取得するグローバル代表値取得手段と、
前記グローバル代表値を表示する表示手段と、
前記ユーザの操作に応じて、前記コンテンツの再生開始位置を調整する調整手段と、
前記調整された再生開始位置から前記コンテンツを再生する再生手段と、
前記コンテンツを再生したとき、前記履歴情報を前記中継サーバに送信する履歴情報送信手段とを備えることを特徴とするコンテンツ再生システム。
【請求項４】
請求項３に記載のコンテンツ再生システムであって、
前記中継サーバはさらに、
放送局から放送された複数のコンテンツを受信する受信手段と、
前記コンテンツと、前記コンテンツを放送した放送局の特定情報及び前記コンテンツの放送時間に関する情報を含むコンテンツ特定情報とを蓄積するコンテンツ蓄積手段とを備え、
前記ローカル代表値送信手段は、前記ローカル代表値を対応する前記コンテンツ特定情報とともに送信し、
前記グローバル代表値決定手段は、同じコンテンツ特定情報に対応した複数のローカル代表値に基づいて、前記グローバル代表値を決定することを特徴とするコンテンツ再生システム。
【請求項５】
コンテンツの再生開始位置の代表値であるグローバル代表値をコンテンツごとに決定する管理サーバと、コンテンツを再生する複数のクライアントとに接続可能な中継サーバであって、
自身と接続されたクライアントにより再生されたコンテンツの再生開始位置を含む履歴情報を前記クライアントから取得する履歴情報取得手段と、
前記取得された履歴情報を蓄積する中継蓄積手段と、
前記蓄積された履歴情報に基づいて、再生開始位置の代表値であり前記管理サーバが前記グローバル代表値を決定するときに利用されるローカル代表値をコンテンツごとに決定するローカル代表値決定手段と、
前記ローカル代表値を前記管理サーバに送信するローカル代表値送信手段とを備えることを特徴とする中継サーバ。
【請求項６】
コンテンツの再生開始位置の代表値であるグローバル代表値をコンテンツごとに蓄積する管理サーバと、前記管理サーバが前記グローバル代表値を決定するときに利用するローカル代表値を作成する複数の中継サーバと、前記各中継サーバに接続され、コンテンツを再生する複数のクライアントとを備えるコンテンツ再生システムにおけるクライアントであって、
ユーザの操作に応じて所望のコンテンツを指定する指定手段と、
前記指定されたコンテンツのグローバル代表値を前記管理サーバから取得するグローバル代表値取得手段と、
前記グローバル代表値を表示する表示手段と、
前記ユーザの操作に応じて、前記コンテンツの再生開始位置を調整する調整手段と、
前記調整された再生開始位置から前記コンテンツを再生する再生手段と、
前記コンテンツを再生したとき、前記再生されたコンテンツの再生開始位置を含み、前記中継サーバが前記ローカル代表値を作成するときに利用される履歴情報を前記中継サーバに送信する送信手段とを備えることを特徴とするクライアント。
【請求項７】
コンテンツの再生開始位置の代表値であるグローバル代表値をコンテンツごとに決定する管理サーバと、コンテンツを再生する複数のクライアントとに接続可能なコンピュータに実行させる中継プログラムであって、
前記クライアントにより再生されたコンテンツの再生開始位置を含む履歴情報を前記クライアントから取得するステップと、
前記取得された履歴情報を蓄積するステップと、
前記蓄積された履歴情報に基づいて、再生開始位置の代表値であり前記管理サーバが前記グローバル代表値を決定するときに利用されるローカル代表値をコンテンツごとに決定するステップと、
前記決定されたローカル代表値を前記管理サーバに送信するステップとを前記コンピュータに実行させることを特徴とする中継プログラム。
【請求項８】
コンテンツの再生開始位置の代表値であるグローバル代表値をコンテンツごとに決定する管理サーバと、前記管理サーバが前記グローバル代表値を決定するときに利用されるローカル代表値を作成する複数の中継サーバと、前記各中継サーバに接続され、コンテンツを再生する複数のコンピュータとを備えるコンテンツ再生システムにおける前記コンピュータに実行させる再生プログラムであって、
ユーザの操作に応じて所望のコンテンツを指定するステップと、
前記指定されたコンテンツのグローバル代表値を前記管理サーバから取得するステップと、
前記グローバル代表値を表示するステップと、
前記ユーザの操作に応じて、前記コンテンツの再生開始位置を調整するステップと、
前記調整された再生開始位置から前記コンテンツを再生するステップと、
前記コンテンツを再生したとき、前記再生されたコンテンツの再生開始位置を含み、前記中継サーバが前記ローカル代表値を作成するときに利用される履歴情報を前記中継サーバに送信するステップとを前記コンピュータに実行させる再生プログラム。
【請求項９】
映像データ及び／又は音声データを含むコンテンツを再生するコンテンツ再生システムであって、
再生されたコンテンツの再生開始位置を含む履歴情報を蓄積する蓄積手段と、
前記蓄積された履歴情報に基づいて、コンテンツごとに再生開始位置の代表値を決定する決定手段と、
ユーザの操作に応じて所望のコンテンツを指定する指定手段と、
前記指定されたコンテンツの再生開始位置の代表値を表示する表示手段と、
前記ユーザの操作に応じて、前記コンテンツの再生開始位置を調整する調整手段と、
前記調整された再生開始位置から前記コンテンツを再生する再生手段とを備えることを特徴とするコンテンツ再生システム。